(57)【要約】【課題】柱などの壁裏構造体に対し容易に取り付けることができるふかし壁用スペーサと、それを用いたふかし壁及びふかし壁構築方法を提供する。【解決手段】スペーサ２０は、それぞれ同径の円筒状の第１の本体２１及び第２の本体２２と、これら本体２１，２２内に挿填された軟質体２３とを有する。壁パネル１２の裏側のスペースを６０ｍｍとする場合には、柱３の前面に当接し、軟質体２３を通して釘２４を打つことにより柱３に取り付ける。壁パネル１２の裏側のスペースが４５ｍｍの場合には、第２の本体２２を取り去り、スペーサ２０を軟質体２３を通して釘２４を柱３に打ち込む。このようにスペーサ２０を柱３に取り付けた後、壁パネル１２を建て込む。軟質体２３は軟質のスポンジ状であり、第１の本体２１から出っ張っていても、壁パネル１２が押し当てられると、この出っ張った部分は押し縮められる。【選択図】図６
2006144439.tif 000002
【特許請求の範囲】
【請求項１】
壁裏構造体と壁パネルとの間に介在されるふかし壁用スペーサにおいて、
硬質材料よりなる筒状のスペーサ本体と、該スペーサ本体内に設けられた軟質体とを備えたことを特徴とするふかし壁用スペーサ。
【請求項２】
請求項１において、該スペーサ本体は硬質合成樹脂製であり、前記軟質体は軟質合成樹脂製であることを特徴とするふかし壁用スペーサ。
【請求項３】
請求項２において、該軟質体は発泡軟質合成樹脂製であることを特徴とするふかし壁用スペーサ。
【請求項４】
請求項１ないし３のいずれか１項において、該スペーサ本体は、直列に配置された複数の筒状分割体からなり、
前記軟質体が該複数の筒状分割体にまたがって連続して存在し、該軟質体を介して該複数の筒状分割体が一体化されていることを特徴とするふかし壁用スペーサ。
【請求項５】
請求項３において、前記軟質体は前記複数の筒状分割体のいずれよりも筒軸方向長さが大きいことを特徴とするふかし壁用スペーサ。
【請求項６】
壁裏構造体と壁パネルとの間に介在されるふかし壁用スペーサにおいて、筒状のスペーサ本体と、該スペーサ本体の少なくとも一方の端面及び／又は端部に設けられたプレートとを備えたことを特徴とするふかし壁用スペーサ。
【請求項７】
請求項６において、該スペーサ本体は、直列に配置された複数の筒状分割体からなり、
隣接する筒状分割体のうちの一方の筒状分割体の端部に、他方の筒状分割体の端部に内嵌する接続用張出部が設けられていることを特徴とするふかし壁用スペーサ。
【請求項８】
壁裏構造体の前面側にふかし壁用スペーサを介して壁パネルを設置してなるふかし壁において、該ふかし壁用スペーサが請求項１ないし７のいずれか１項に記載のふかし壁用スペーサであり、
該ふかし壁用スペーサを筒軸方向に貫いて該壁裏構造体に打ち込まれた釘又はビスによって該ふかし壁用スペーサが壁裏構造体に取り付けられていることを特徴とするふかし壁。
【請求項９】
壁裏構造体の前面側にふかし壁用スペーサを介して壁パネルを設置するふかし壁の構築構造において、
該ふかし壁用スペーサとして請求項５に記載のふかし壁用スペーサを用い、
該ふかし壁用スペーサの前記軟質体を介して釘又はビスを壁裏構造体に打ち込むことによって該ふかし壁用スペーサを壁裏構造体に取り付け、
壁裏構造体と壁パネルとの間隔に応じて、前記複数の筒状分割体のうち少なくともいずれか１個を除いた残りの筒状分割体により前記スペーサ本体を構成した場合には、該釘又はビスの頭が、該壁裏構造体から最も離隔した筒状分割体の端面から非突出となるまで、該釘又はビスを該軟質体にめり込ませて打つことを特徴とするふかし壁の構築構造。
【発明の詳細な説明】
【技術分野】
【０００１】
本発明は、柱などの壁裏構造体と壁パネルとの間に間隔をあけるようにして壁パネルを設置したふかし壁と、その構築方法及びそのためのスペーサに関するものである。
【背景技術】
【０００２】
柱や躯体壁の前面側にスペーサを介して壁パネルを設置し、壁パネルの背後側にスペース（空間）を形成するふかし壁は周知である。
【０００３】
実開平３−９３５０８号公報には、このスペーサとしてＨ形断面形状のレール状部材が記載されている
【特許文献１】実開平３−９３５０８号公報
【発明の開示】
【発明が解決しようとする課題】
【０００４】
上記実開平３−９３５０８号公報のレール状のスペーサは、特殊形状のピンによって壁裏構造体に取り付けられるものであり、コスト高であると共に、壁裏構造体への取り付け作業に手間がかかる。
【０００５】
また、実開平３−９３５０８号公報のスペーサを用いた場合、壁パネルの裏側の空間寸法（厚み）を調整することができない。
【０００６】
本発明は、柱などの壁裏構造体に対し容易に取り付けることができるふかし壁用スペーサと、それを用いたふかし壁及びふかし壁構築方法を提供することを目的とする。
【０００７】
また、本発明は、その一態様において、柱などの壁裏構造体と壁パネルとの間の間隔を調整することができるふかし壁用スペーサと、これを用いたふかし壁及びふかし壁構築方法を提供することを目的とする。
【課題を解決するための手段】
【０００８】
請求項１のふかし壁用スペーサは、壁裏構造体と壁パネルとの間に介在されるふかし壁用スペーサにおいて、硬質材料よりなる筒状のスペーサ本体と、該スペーサ本体内に設けられた軟質体とを備えたことを特徴とするものである。
【０００９】
請求項２のふかし壁用スペーサは、請求項１において、該スペーサ本体は硬質合成樹脂製であり、前記軟質体は軟質合成樹脂製であることを特徴とするものである。
【００１０】
請求項３のふかし壁用スペーサは、請求項２において、該軟質体は発泡軟質合成樹脂製であることを特徴とするものである。
【００１１】
請求項４のふかし壁用スペーサは、請求項１ないし３のいずれか１項において、該スペーサ本体は、直列に配置された複数の筒状分割体からなり、前記軟質体が該複数の筒状分割体にまたがって連続して存在し、該軟質体を介して該複数の筒状分割体が一体化されていることを特徴とするものである。
【００１２】
請求項５のふかし壁用スペーサは、請求項３において、前記軟質体は前記複数の筒状分割体のいずれよりも筒軸方向長さが大きいことを特徴とするものである。
【００１３】
請求項６のふかし壁用スペーサは、壁裏構造体と壁パネルとの間に介在されるふかし壁用スペーサにおいて、筒状のスペーサ本体と、該スペーサ本体の少なくとも一方の端面及び／又は端部に設けられたプレートとを備えたことを特徴とするものである。
【００１４】
請求項７のふかし壁用スペーサは、請求項６において、該スペーサ本体は、直列に配置された複数の筒状分割体からなり、隣接する筒状分割体のうちの一方の筒状分割体の端部に、他方の筒状分割体の端部に内嵌する接続用張出部が設けられていることを特徴とするものである。
【００１５】
請求項８のふかし壁は、壁裏構造体の前面側にふかし壁用スペーサを介して壁パネルを設置してなるふかし壁において、該ふかし壁用スペーサが請求項１ないし７のいずれか１項に記載のふかし壁用スペーサであり、該ふかし壁用スペーサを筒軸方向に貫いて該壁裏構造体に打ち込まれた釘又はビスによって該ふかし壁用スペーサが壁裏構造体に取り付けられていることを特徴とするものである。
【００１６】
請求項９のふかし壁構築構造は、壁裏構造体の前面側にふかし壁用スペーサを介して壁パネルを設置するふかし壁の構築構造において、該ふかし壁用スペーサとして請求項５に記載のふかし壁用スペーサを用い、該ふかし壁用スペーサの前記軟質体を介して釘又はビスを壁裏構造体に打ち込むことによって該ふかし壁用スペーサを壁裏構造体に取り付け、壁裏構造体と壁パネルとの間隔に応じて、前記複数の筒状分割体のうち少なくともいずれか１個を除いた残りの筒状分割体により前記スペーサ本体を構成した場合には、該釘又はビスの頭が、該壁裏構造体から最も離隔した筒状分割体の端面から非突出となるまで、該釘又はビスを該軟質体にめり込ませて打つことを特徴とするものである。
【発明の効果】
【００１７】
請求項１のふかし壁用スペーサは、筒状のスペーサ本体と、このスペーサ本体内に設けられた軟質体とを備えており、この軟質体を貫いて釘又はビスを柱などの壁裏構造体に打ち込むことにより該壁裏構造体に取り付けられる。このように釘又はビスが軟質体を貫いて打ち込まれるため、釘又はビスの打ち込み作業が容易である。
【００１８】
なお、スペーサ本体は硬質材料よりなるため、壁パネルをしっかりと支承することができる。
【００１９】
請求項２の通り、スペーサ本体を硬質合成樹脂とし、軟質体を軟質合成樹脂とすることにより、スペーサのコストダウンを図ることができると共に、スペーサの耐久性も向上する。
【００２０】
請求項３の通り、この軟質体を発泡合成樹脂とした場合には、軟質体を貫くように釘又はビスを極めて容易に打つことが可能となる。
【００２１】
請求項４の通り、スペーサ本体を複数の筒状分割体で構成した場合、用いる分割体の個数を適宜選定することにより、壁パネル裏側スペースの寸法（ふかし代）を調整することができる。従って、硬質材料よりなるスペーサ本体を切断する必要がないため、施工が簡潔となる。
【００２２】
請求項５のスペーサにあっては、複数の分割体が軟質体を介して確実に連結される。なお、複数の分割体のうち少なくとも１つを除いた残りの分割体を用いて、該軟質体の全長よりも短いスペーサ本体を構成した場合には、スペーサ本体の内部の軟質体を、壁裏構造体と壁パネルとによって両側から押し縮めたり、切断すればよい。この軟質体は、軟質材料よりなるので、押し縮めたり切断するのは容易である。
【００２３】
請求項６のふかし壁用スペーサは、筒状のスペーサ本体と、該スペーサ本体の少なくとも一方の端面及び／又は端部に設けられたプレートとからなるものであり、このプレートを貫いて釘又はビスを壁裏構造体に打ち込むことにより、釘やビスによるスペーサの仮固定を容易に行うことができる。
【００２４】
請求項７の通り、スペーサ本体を複数の筒状分割体で構成した場合、用いる分割体の個数を適宜選定することにより、壁パネル裏側スペースの寸法（ふかし代）を調整することができる。また、この請求項７のふかし壁用スペーサにあっては、隣接する分割体のうちの一方の分割体の張出部を他方の分割体の一端に挿抜することにより、両分割体を連結・分離することができる。この連結構造は分割体同士を確実に一体化させるため、このスペーサによって壁パネルが正確に固定され、壁面に不陸が生じることが防止される。
【００２５】
請求項８のふかし壁は、上記のふかし壁用スペーサを壁裏構造体に取り付け、壁パネルを設置するものであり、該スペーサの取り付けが容易であるため、ふかし壁の構築作業性が良い。
【００２６】
請求項９のふかし壁構築方法にあっては、請求項５のふかし壁用スペーサを用いるため、柱と壁パネルとの間隔が異なる場合であっても、筒状分割体の個数を適宜変更することにより、不陸が防止されたふかし壁を構築することができる。このふかし壁用スペーサの壁裏構造体への取り付けに際しては、軟質体にめり込ませるようにして釘又はビスを打つ。このため、釘又はビスの頭がスペーサ本体から非突出となるので、壁パネルの設置時に釘やビスの頭が邪魔にならない。なお、軟質体のうちスペーサ本体から突出した部分を押し潰すようにして壁パネルを設置する。
【発明を実施するための最良の形態】
【００２７】
以下、図面を参照して実施の形態について説明する。
【００２８】
第１図は実施の形態に係るふかし壁用スペーサを用いたふかし壁構造を有するユニットバスルームの縦断面図、第２図はこのスペーサの斜視図、第３図は第２図のIII−III線に沿う断面図、第４図はスペーサの分解斜視図、第５図はスペーサ本体の使用例を示す斜視図、第６図〜第８図はスペーサの柱への取り付け状態を示す縦断面図である。
【００２９】
第１図の通り、布基礎１上に土台２が設置され、柱３が立設されている。
【００３０】
柱３に囲まれた浴室構築用スペースＳに防水パン５，６が設置されている。各防水パン５，６は土間コンクリート４に対し足ボルト７，８によって支持されている。
【００３１】
防水パン５は洗い場用であり、防水パン６は浴槽用である。各防水パン５，６は、床部５ｂ，６ｂと、その周囲から立ち上がる周壁５ａ，６ａとを有する。これらの防水パン５，６は連結部材１１を介して連結されている。
【００３２】
浴槽用防水パン６上には浴槽１０が設置されている。浴槽１０の洗い場側にはエプロン９が立設されている。連結部材１１を介した防水パン５，６の接続部は、このエプロン９の裏側に配置されている。
【００３３】
防水パン５，６の連結体の周囲に壁パネル１２が建て込まれている。この壁パネル１２の背後側には胴縁１６が設けられ、この胴縁１６と柱３との間にはふかし壁用スペーサ２０が介在されている。
【００３４】
浴室構築用スペースの天井部分には野縁受け１３、野縁１４を介して天井パネル１５が設けられている。
【００３５】
上記の壁パネル１２の背面と柱３との間隔は、柱３の寸法により６０ｍｍ又は４５ｍｍに設定される。
【００３６】
即ち、柱には一辺が１０５ｍｍの１０５角のものと１２０ｍｍの１２０角のものとがある。柱を１間（１８２０ｍｍ）間隔で立てた場合、柱が１０５角であると、内法（うちのり）寸法は１７１５ｍｍとなり、１２０角であると１７００ｍｍとなり、１５ｍｍの差がある。この実施の形態では、防水パン５，６の第１図左右方向における辺長さの和は１６７０ｍｍである。従って、壁パネル１２が防水パン６の内側に載置されるようにするために、柱３が１０５角の場合、壁パネル１２の背面と柱３との間隔を６０ｍｍとし、柱３が１２０角の場合、壁パネル１２の背面と柱３との間隔を４５ｍｍとする。
【００３７】
また、該壁パネル１２の背面の胴縁１６の厚みは２０ｍｍである。そこで、この実施の形態では、スペーサ２０として筒軸方向の長さを４０ｍｍと２５ｍｍとのいずれともしうるものを用いている。
【００３８】
このふかし壁用スペーサ２０について、次に第２図〜第７図を参照して詳細に説明する。
【００３９】
このスペーサ２０は、複数の筒状分割体としての円筒状の第１の本体２１及び第２の本体２２と、これら本体２１，２２内に挿填された軟質体２３とを有する。第１の本体２１と第２の本体２２とは同径となっている。この第１及び第２の本体２１，２２によってスペーサ本体が構成されている。
【００４０】
第１及び第２の本体２１，２２は、ＡＢＳ樹脂、ポリプロピレン、塩化ビニルなどの硬質合成樹脂よりなり、軟質体２３は発泡ウレタン、発泡ポリエチレン、発泡スチレンなどの軟質合成樹脂のスポンジ（多孔質体）よりなる。
【００４１】
軟質体２３は円柱状であり、各本体２１，２２の内径と同一又はそれよりもごくわずか大きい外径を有する。軟質体２３の筒軸方向長さは、各本体２１，２２の筒軸方向長さの和と同一である。各本体２１，２２が同軸的に突き合わされた状態とされ、軟質体２３が内嵌されることにより、スペーサ２０が構成される。
【００４２】
この実施の形態では、本体２１の筒軸方向長さは２５ｍｍであり、本体２２の筒軸方向長さは１５ｍｍとなっている。従って、第３図の本体２１，２２の結合状態では、スペーサ２０の筒軸方向長さは４０ｍｍである。
【００４３】
第１図の壁パネル１２の裏側のスペースを６０ｍｍとする場合には、第３図の状態のスペーサ２０を、第６図の通り、柱３の前面に当接し、軟質体２３を通して釘２４を打つことにより柱３に取り付ける。釘２４は、その頭２４ａが第２の本体２２の端面と面一か、又はそれよりも奥にまで打ち込まれる。このスペーサ２０の取り付け後、前記第１図のように壁パネル１２を建て込む。この場合、壁パネル１２の背後のスペースは６０ｍｍ（４０＋２０＝６０ｍｍ、このうち２０ｍｍは胴縁１６の厚みである。）になる。
【００４４】
壁パネル１２の裏側のスペースが４５ｍｍの場合には、第２の本体２２を取り去り、スペーサ２０を第５図の状態とする。なお、第５図では、軟質体２３は本体２１の一方の端面のみから筒軸方向に突出し、他方の端面では本体２１の端面と略面一となっている。
【００４５】
このスペーサ２０を第７図の通り、第１の本体２１の該他方の端面を柱３に当て、軟質体２３を通して釘２４を柱３に打ち込む。この場合も、釘２４の頭２４ａは、第１の本体２１の一端と面一か、又はそれよりも奥まで打ち込まれる。
【００４６】
このようにスペーサ２０を柱３に取り付けた後、第１図の如く壁パネル１２を建て込む。この場合、壁パネル１２の背後のスペースは４５ｍｍ（２５＋２０＝４５ｍｍ）となる。
【００４７】
なお、軟質体２３は軟質のスポンジ状であり、第７図の如く第１の本体２１から出っ張っていても、壁パネル１２が押し当てられると、この出っ張った部分は所謂ぺしゃんこ状に押し縮められる。
【００４８】
なお、建物や柱の寸法誤差等により、壁パネル１２の背後のスペースが３５ｍｍ程度（即ち、胴縁１６と柱３との間隔が１５ｍｍ程度）となっているときは、第２の本体２２を第７図の第１の本体２１と同様にして柱３に釘により取り付け、壁パネル１２を建て込んでもよい。
【００４９】
この実施の形態では釘２４を用いているが、ビスを用いてもよい。
【００５０】
第８図は別の実施の形態に係るふかし壁用スペーサ３０の斜視図、第９図は第８図のIX−IX線に沿う断面図、第１０図はスペーサ３０の分解斜視図、第１１図及び第１２図はスペーサ３０の柱への取付状態を示す縦断面図である。
【００５１】
このふかし壁用スペーサ３０は、複数の筒状分割体としての第１の本体３１と第２の本体３２とからなる。
【００５２】
これら本体３１，３２は、いずれもＡＢＳ樹脂、ポリプロピレン、塩化ビニルなどの硬質合成樹脂よりなる。
【００５３】
第１の本体３１は、円筒形の筒部３１ａと、該筒部３１ａの一端面を塞ぐように設けられたプレート３１ｂ（以下、このプレート３１ｂをエンドプレート３１ｂと称することがある。）とを有する。なお、エンドプレート３１ｂは筒部３１ａの一端面全面に設けられているが、該端面の一部を覆うように帯状や略半円状に設けられてもよい。この実施の形態では、第１の本体３１の筒軸方向長さは２５ｍｍである。
【００５４】
第２の本体３２は、円筒状の筒部３２ａと、該筒部３２ａの一端面から突設された円環状の張出部３２ｂとを有する。筒部３２ａは第１の本体３１の筒部３１ａと同径である。張出部３２ｂの外径は、第１の本体３１の筒部３１ａの内径と同径である。この実施の形態では、筒部３２ａの筒軸方向長さは１５ｍｍである。
【００５５】
このスペーサ３０は、壁パネル１２の背後のスペースが６０ｍｍであるときには、第９，１１図の通り、張出部３２ｂを第１の本体３１に内嵌させて各本体３１，３２を連結して用いる。
【００５６】
このスペーサ３０を柱３に取り付けるには、第２の本体３２を柱３に当て、エンドプレート３１ｂを通して釘２４を柱３に打ち込む。釘２４は、その頭２４ａがエンドプレート３１ｂと面一か又はそれよりも奥となるように打ち込まれる。その後、壁パネル１２を建て込む。
【００５７】
壁パネル１２の背後のスペースが４５ｍｍの場合には、第１２図の通り、第１の本体３１のみを柱３に取り付ける。この場合、本体３１のうちエンドプレート３１ｂを設けていない端面を柱３に当接させ、エンドプレート３１ｂを通して釘２４を柱３に打ち込んで該本体３１を柱３に取り付け、その後、壁パネル１２を建て込む。
【００５８】
第１２図では、第２の本体３２は利用されていないが、第２の本体３２にもエンドプレートを設けるならば、壁パネル１２の裏側スペースが３５ｍｍの場合、この第２の本体３２を第１２図と同様にしてスペーサとして利用可能である。
【００５９】
なお、第１１，１２図においても、釘の代わりにビスを用いてもよい。
【００６０】
上記のスペーサ３０においては、筒部３１ａの端面と面一状にプレート３１ｂが設けられているが、該プレート３１ｂは、筒部３１ａの軸心線方向の途中位置に設けられてもよい。第１３図は、このように構成されたスペーサ３０’の柱３への取り付け状態を示す縦断面図である。
【００６１】
第１３図のスペーサ３０’にあっては、第１の本体３１の筒部３１ａの一端面から他端面側に２〜３ｍｍ程度後退した位置にプレート３１ｂが設けられている。このスペーサ３０’のその他の構成及び柱３への取り付け方法は前述のスペーサ３０と同様である。
【００６２】
この実施の形態では、図示のように、頭部が出張った丸頭釘（又はビス）２４’を用いてスペーサ３０’を柱３に取り付けた場合でも、該釘（又はビス）２４’の頭部が筒部３１ａの端面とプレート３１ｂとの間のスペースに収まるため、該頭部が筒部３１ｂの端面から突出することが防止される。
【００６３】
第１４図はさらに別の実施の形態に係るスペーサ４０の斜視図であり、第１５図は第１４図のXV−XV線に沿う断面図である。
【００６４】
このスペーサ４０は、複数の筒状分割体としての第１の本体４１及び第２の本体４２と、これら本体４１，４２内に挿填された軟質体４３とを有する。この第１及び第２の本体４１，４２によってスペーサ本体が構成されている。
【００６５】
これら本体４１，４２は、いずれもＡＢＳ樹脂、ポリプロピレン、塩化ビニルなどの硬質合成樹脂よりなり、軟質体４３は発泡ウレタン、発泡ポリエチレン、発泡スチレンなどの軟質合成樹脂のスポンジ（多孔質体）よりなる。
【００６６】
この実施の形態では、第１の本体４１は、円筒形の筒部４１ａと、該筒部４１ａの一端側の外周縁部から、該筒部４１ａの端面と面一状に側方（放射方向）へ突設されたプレート４４とを有する。該プレート４４には、釘又はビス等の挿通孔４５が設けられている。なお、この実施の形態では、舌片状のプレート４４が１個だけ設けられているが、筒部４１ａの周方向に間隔をおいて２個以上のプレート４４が設けられてもよい。あるいは、プレート４４は、該筒部４１ａの周方向に連続した鍔状であってもよい。このプレート４４に設けられる挿通孔４５の数は、２個以上であってもよい。
【００６７】
この実施の形態では、本体４１の筒軸方向長さは２５ｍｍであり、本体４２の筒軸方向長さは１５ｍｍとなっている。
【００６８】
軟質体４３は円柱状であり、各本体４１，４２の内径と同一又はそれよりもごくわずか大きい外径を有する。軟質体４３の筒軸方向長さは、各本体４１，４２の筒軸方向長さの和と同一である。各本体４１，４２が同軸的に突き合わされた状態とされ、軟質体４３が内嵌されることにより、スペーサ４０が構成される。
【００６９】
壁パネル１２の裏側のスペースを６０ｍｍとする場合には、軟質体４３により本体４１，４２が連結された状態のスペーサ４０を用いる。このスペーサ４０を柱３に取り付けるに際しては、第１５図の通り、プレート４４及び該プレート４４と連なった筒部４１ａの端面を柱３の前面に当て、挿通孔４５を介して該柱３に釘（又はビス）２４’を打ち込み、固定する。
【００７０】
壁パネル１２の裏側のスペースが４５ｍｍの場合には、第２の本体４２を取り去ったものを用いる。そして、上記のように、プレート４４及び該プレート４４と連なった筒部４１ａの端面を柱３の前面に当て、挿通孔４５を介して該柱３に釘（又はビス）２４’を打ち込み、固定する。この際、軟質体４３は本体４１から出っ張るが、壁パネル１２が押し当てられると、この出っ張った部分は所謂ぺしゃんこ状に押し縮められる。
【００７１】
なお、この実施の形態では、第２の本体４２にはプレート４４が設けられていないが、第２の本体４２にもプレート４４を設けるならば、壁パネル１２の裏側スペースが３５ｍｍの場合、この第２の本体４２を第１５図と同様にしてスペーサとして利用可能である。
【００７２】
本発明においては、スペーサの端面を塞ぐ（又は横切るあるいは内側へ張り出す）形状のプレートと、該スペーサの外周面から側方へ張り出す形状のプレートとの双方が設けられてもよい。第１６図はこのように構成されたスペーサ３０Ａの斜視図であり、第１７図は第１６図のXVII−XVII線に沿う断面図である。
【００７３】
このスペーサ３０Ａは、前記第１３図のスペーサ３０’の第２の本体３２に対し、その柱３側の端面の外周縁部から該端面と面一状に放射方向へ延出するプレート３３を設けた構成となっている。このプレート３３には、釘又はビス等の挿通孔３４が設けられている。このスペーサ３０Ａのその他の構成は前記第１３図のスペーサ３０’と同様となっている。
【００７４】
このスペーサ３０Ａを設置するに当っては、まず、プレート３３及び該プレート３３に連なる第２の本体３２の端面を柱３に当てがい、挿通孔３４を通して該柱３に釘（又はビス）２４’を打ち込んでスペーサ３０Ａを仮留めする。その後、第１の本体３１の端面を塞ぐプレート３１ｂを貫いて、さらに釘（又はビス）２４’を柱３に打ち込み、スペーサ３０Ａを本固定する。
【００７５】
このように、スペーサの外周面から側方へ張り出すプレートとスペーサの端面との双方を設けることにより、釘やビス等でスペーサを容易に仮留めすることができると共に、本固定もしっかりと行うことができる。
【００７６】
このように、スペーサ２０，３０，３０’，３０Ａあるいは４０を用いて壁パネル１２の裏側のスペースを調整することにより、防水パン６の内側に壁パネル１２を載置可能となり、防水性に優れた浴室を構築することができる。
【００７７】
なお、本発明は浴室以外のユニットルームの構築にも適用できる。
【００７８】
上記実施の形態では、壁裏構造体が柱より成っているが、これに限定されない。
【００７９】
上記の各実施の形態では、２個の筒状分割体（第１の本体及び第２の本体）を用いてスペーサ本体を構成しているが、３個以上の筒状分割体を用いてスペーサ本体を構成してもよい。
【図面の簡単な説明】
【００８０】
【図１】実施の形態に係るふかし壁用スペーサを用いたふかし壁構造を有するユニットバスルームの縦断面図である。
【図２】実施の形態に係るふかし壁用スペーサの斜視図である。
【図３】第２図のIII−III線に沿う断面図である。
【図４】実施の形態に係るふかし壁用スペーサの分解斜視図である。
【図５】実施の形態に係るふかし壁用スペーサ本体の使用例を示す斜視図である。
【図６】実施の形態に係るふかし壁用スペーサの柱への取り付け状態を示す縦断面図である。
【図７】実施の形態に係るふかし壁用スペーサの柱への取り付け状態を示す縦断面図である。
【図８】別の実施の形態に係るふかし壁用スペーサの斜視図である。
【図９】第８図のIX−IX線に沿う断面図である。
【図１０】実施の形態に係るふかし壁用スペーサの分解斜視図である。
【図１１】実施の形態に係るふかし壁用スペーサの柱への取付状態を示す縦断面図である。
【図１２】実施の形態に係るふかし壁用スペーサの柱への取付状態を示す縦断面図である。
【図１３】実施の形態に係るふかし壁用スペーサの柱への取付状態を示す縦断面図である。
【図１４】実施の形態に係るふかし壁用スペーサの斜視図である。
【図１５】実施の形態に係るふかし壁用スペーサの柱への取付状態を示す縦断面図である。
【図１６】実施の形態に係るふかし壁用スペーサの斜視図である。
【図１７】実施の形態に係るふかし壁用スペーサの柱への取付状態を示す縦断面図である。
【符号の説明】
【００８１】
３  柱
５，６  防水パン
１０  浴槽
２０，３０，３０’，３０Ａ，４０  ふかし壁用スペーサ
２１，３１，４１  第１の本体
２２，３２，４２  第２の本体
２３，４３  軟質体
２４，２４’  釘
３１ａ，３２ａ，４１ａ  筒部
３１ｂ，３３，４４  プレート
３２ｂ  張出部
３４，４５  釘又はビスの挿通孔
【図１】
2006144439.tif 000003
【図２】
2006144439.tif 000004
【図３】
2006144439.tif 000005
【図４】
2006144439.tif 000006
【図５】
2006144439.tif 000007
【図６】
2006144439.tif 000008
【図７】
2006144439.tif 000009
【図８】
2006144439.tif 000010
【図９】
2006144439.tif 000011
【図１０】
2006144439.tif 000012
【図１１】
2006144439.tif 000013
【図１２】
2006144439.tif 000014
【図１３】
2006144439.tif 000015
【図１４】
2006144439.tif 000016
【図１５】
2006144439.tif 000017
【図１６】
2006144439.tif 000018
【図１７】
2006144439.tif 000019